(57)【要約】      （修正有）【課題】股間に装着する排尿便処理体を嵌着した支持枠体を寝具用ベッドに装着した台座の上面で左右に揺動し得るようにし、患者の尻部が少々動いてもそれに追従して排尿便処理体も揺動して一体感を生起し、汚物漏洩を可及的に防止できる自動排尿便処理装置を提供すること。【解決手段】寝具用ベッドの略中央に略矩形状に形成した装着孔１２と、上面を凹状半円弧に形成し装着孔に嵌着可能とした台座３１０と、凹状半円弧の台座上に左右揺動自在に載置し得るべく外底面を凸状半円弧に形成し、かつ、上面に尻載せパッド４１を載置可能とした支持枠体３１と、中央にＵ字状切欠き空間を形成した尻載せパッドと、尻載せパッドのＵ字状切欠き空間４２位置に遊嵌され、尻部や局部の洗浄及び排尿便の外部排出を行うべく構成した排尿便処理体５１とよりなることを特徴とする。【選択図】図１
2010148721.tif 000002
【特許請求の範囲】
【請求項１】
寝具用ベッドの略中央に略矩形状に形成した装着孔と、上面を凹状半円弧に形成し装着孔に嵌着可能とした台座と、凹状半円弧の台座上に左右揺動自在に載置し得るべく外底面を凸状半円弧に形成し、かつ、上面に尻載せパッドを載置可能とした支持枠体と、中央にＵ字状切欠き空間を形成した尻載せパッドと、尻載せパッドのＵ字状切欠き空間位置に遊嵌され、尻部や局部の洗浄及び排尿便の外部排出を行うべく構成した排尿便処理体とよりなる
ことを特徴とする自動排尿便処理装置。
【請求項２】
凹状半円弧とした台座上面の先端縁部には、支持枠体の揺動範囲を規制するための調整ストッパー手段を設けた
ことを特徴とする請求項１に記載の自動排尿便処理装置。
【請求項３】
台座の前壁左右には、挿通孔を穿設し、略山型の固定具の左右自由端を挿入可能とし、固定具により、台座上に揺動自在に載置した支持枠体が揺動時に台座から離脱しないように構成した
ことを特徴とする請求項１又は２に記載の自動排尿便処理装置。
【請求項４】
支持枠体の内底面は凹状半円弧に形成すると共に、尻載せパッドの外底面は凸状半円弧に形成し、尻載せパッドを支持枠体上面に密着状態で載置しうるべく構成してなる
ことを特徴とする請求項１〜３のいずれか１項に記載の自動排尿便処理装置。
【請求項５】
排尿便処理体は、内部を舟型とし、底部に設けたノズルからの排水により排尿便を外部へ排出するように構成した横部材と、尻部や局部を洗浄した後に送風により乾燥を行うノズルを前面に設けた縦部材とより略Ｌ字形状に構成し、
しかも、排尿便処理体の横部材の終端は、排出パイプを介して貯留タンクと連通連結し、横部材及び縦部材に設けた各種ノズルは、送水や送風の制御を行うべく構成したノズル操作部を介して洗浄水供給部とを連通連結した
ことを特徴とする請求項１〜４のいずれか１項に記載の自動排尿便処理装置。
【発明の詳細な説明】
【技術分野】
【０００１】
本発明は、寝たきりの患者や老人等が寝たままで他人の介助無しに排尿便を処理できる自動排尿便処理装置に関する。
【背景技術】
【０００２】
従来、寝たきりの患者や老人等が寝たままで他人の介助無しに排尿便をしてその処理をも行えるようにするオムツや装置は種々考案されている。例えば、特許文献１には側面視略Ｌ字状の排尿便処理体に大便検知センサーと共に各種ノズルを備えた技術が開示されている。
【０００３】
この技術は、排尿便する場合は、まず患者等が排尿便処理体の立ち上がり部を人体股間で挟圧しながら腰臀部を排尿便処理体上に載置するものであり、用便後は近接センサーから成る大便検知センサーで大便を感知して自動的に各種ノズルから洗浄水を噴出して局所を洗浄し、また排尿便処理体内も洗浄するものであり、大便は汚物吸入ホースから外部に排出し、このように自動的に寝たきりの患者の排便処理が行えるようにしたものである。
【０００４】
また、特許文献２に記載の装置は、略Ｌ字形状の前後方向に長い箱型構造のオムツ状ケーシングと、排泄物を検知する複数のセンサーと、排泄物に洗浄水を射出して所定の洗浄を行う複数のノズルと、各種ノズルを取付けるオムツフレームとを備えた自動排便処理装置であり、前記オムツ状ケーシングに連設された複数のノズルは、肛門付近を洗浄する肛門用ノズル、局部を洗浄するビデ用ノズル、お尻付近を洗浄する尻用ノズル及び排尿便を粉砕し、外部へ押し流す大便用ノズルとよりなるものであり、さらに各ノズルには、尻部や局部の乾燥を兼用して行う機能を有していた。上記各センサーには、排泄された大便を検知する大便検知センサーや、排泄された小便を検知する小便検知センサーとより構成していた。
【特許文献１】特開平８−３２２８６８号公報
【特許文献２】特願２００６−２０９１６８号
【発明の開示】
【発明が解決しようとする課題】
【０００５】
しかしながら、上述した自動排便処理装置には、以下のような課題があった。自動排便処理装置では、オムツ状ケーシングを寝具ベッドに直接装着する構造のため、寝具ベッドとオムツ状ケーシングとの間に洗浄水や尿便等の漏洩が生じると寝具ベッド裏面に漏水が広がり寝具ベッドを濡らしてしまう虞があった。しかも、患者にとってオムツ状ケーシングを股間部に装着するのが非常に煩わしい構造であった。また、オムツ状ケーシングを股間部に装着したときに十分にフィットすることができなかった。更には、仰臥状態で股間部にオムツ状ケーシングを装着すると、オムツ状ケーシング外の尻部が十分に安定しないため、尻部及び股間部に苦痛が生じていた。また、オムツフレームを別途設けており、オムツ状ケーシングの構造が複雑になっていた。
【０００６】
そこで、オムツ状ケーシングの一部は寝具に装着すると共に排便排尿を処理する部分は、患者の股間に装着することにより従来の自動排便処理装置の各種欠点を解消する技術が本願発明者において開発された。特に、この発明技術は、図２２に示すように、ベッド１０１１の中央の嵌着孔１０１２にＵ字状切欠孔１０４２を有する尻載せパッド１０４１を嵌着した支持枠体１０３１を嵌入し、尻載せパッド１０４１のＵ字状切欠孔１０４２中にＬ字形状の排尿便処理体１０５１を嵌着したものであり、患者は排尿便処理体１０５１を股間に装着して該排尿便処理体中に排尿便を行い、所定の手段で排尿便を排尿便処理体１０５１外に搬送する。しかも、ベッド１０１１と排尿便処理体１０５１との間にはおしめ１０２１を介在させて、患者の股間を覆い汚物の飛散や漏洩を防止し、かつ、臭気の発散を防止しながら外部から見えないようにして患者の羞恥心を生起しないようにしたものである。
【０００７】
しかし、これらの自動排便処理装置においても、患者が排尿便時に腰部を左右に動かすことは出来ないように股間と処理装置が固定的に一体とされており、患者の尻部が所定位置よりずれるような動きをすると処理装置に負荷がかかり股間との一体化が阻害され汚物が外部に漏洩したり、各種センサーの検知精度が低下し、機能障害を生起して洗浄機能が所定の成果を挙げることができないなどの不都合が生起する虞があった。
【０００８】
本願発明は、股間に装着する排尿便処理体を嵌着した支持枠体を寝具用ベッドに装着した台座の上面で左右に揺動し得るようにし、患者の尻部が少々動いてもそれに追従して排尿便処理体も揺動して一体感を生起し、汚物漏洩を可及的に防止し、また、センサー機能の障害とならず、更には装着したときのフィット感を向上して、苦痛無く使用することができ、更には、全体構造を簡略化することができる自動排尿便処理装置を提供することを目的とする。
【課題を解決するための手段】
【０００９】
請求項１に記載の発明は、寝具用ベッドの略中央に略矩形状に形成した装着孔と、上面を凹状半円弧に形成し装着孔に嵌着可能とした台座と、凹状半円弧の台座上に左右揺動自在に載置し得るべく外底面を凸状半円弧に形成し、かつ、上面に尻載せパッドを載置可能とした支持枠体と、中央にＵ字状切欠き空間を形成した尻載せパッドと、尻載せパッドのＵ字状切欠き空間位置に遊嵌され、尻部や局部の洗浄及び排尿便の外部排出を行うべく構成した排尿便処理体とよりなることを特徴とする。
【００１０】
請求項２に記載の発明は、請求項１記載の自動排尿便処理装置において、凹状半円弧とした台座上面の先端縁部には、支持枠体の揺動範囲を規制するための調整ストッパー手段を設けたことを特徴とする。
【００１１】
請求項３に記載の発明は、請求項１又は２記載の自動排尿便処理装置において、台座の前壁左右には、挿通孔を穿設し、略山型の固定具の左右自由端を挿入可能とし、固定具により、台座上に揺動自在に載置した支持枠体が揺動時に台座から離脱しないように構成したことを特徴とする。
【００１２】
請求項４に記載の発明は、請求項１〜３のいずれか１項に記載の自動排尿便処理装置において、支持枠体の内底面は凹状半円弧に形成すると共に、尻載せパッドの外底面は凸状半円弧に形成し、尻載せパッドを支持枠体上面に密着状態で載置しうるべく構成してなることを特徴とする。
【００１３】
請求項５に記載の発明は、請求項１〜４のいずれか１項に記載の自動排尿便処理装置において、排尿便処理体は、内部を舟型とし、底部に設けたノズルからの排水により排尿便を外部へ排出するように構成した横部材と、尻部や局部を洗浄した後に送風により乾燥を行うノズルを前面に設けた縦部材とより略Ｌ字形状に構成し、しかも、排尿便処理体の横部材の終端は、排出パイプを介して貯留タンクと連通連結し、横部材及び縦部材に設けた各種ノズルは、送水や送風の制御を行うべく構成したノズル操作部を介して洗浄水供給部とを連通連結したことを特徴とする。
【発明の効果】
【００１４】
請求項１に記載の発明によれば、寝具ベッドの装着孔に支持ケースを装着し、支持ケース上に尻載せパッドを載置し、次に、患者を寝具ベッドに仰臥させて、尻載せパッドのＵ字状切欠空間位置に略Ｌ字形状の排尿便処理体を遊嵌すると共に、患者の股間部に排尿便処理体を装着することにより容易に着脱可能な構造となっており、患者が自力で排尿便処理体を装着できない状態でも、上記手順を踏むことで１人の介助者で容易に患者に排尿便処理体を装着することができる効果がある。また、患者から排尿便処理体を脱着する場合には、排尿便処理体の外にはみ出した尻部が尻載せパッドに当接しており、尻載せパッドで患者の尻部の重みを支えているため、排尿便処理体を患者から容易に引き離すことが可能である。更には、排尿便処理体を患者の股間部で挟持して装着したとき、排尿便処理体の外にはみ出した尻部を尻載せパッドで支えて尻部付近の重心の安定を図ると共に、患者の股間部を排尿便処理体に密着することで患者にフィット感を与えることができる。しかも、寝たきりの患者に長期間使用しても尻部の床ずれの発生を防ぐことが可能となる効果がある。排尿便処理体より洗浄水が漏水した場合には、排尿便処理体の下部の支持枠体内に漏水が一旦貯留され、寝具ベッドの裏面を直接浸水させることがなくなる効果がある。特に、台座上で支持枠体が凹凸の半円弧の面を介して揺動自在に揺動しうるので、患者の腰部や尻部の左右の揺れやずれが生起しても、それに追従して支持枠体も揺動して常に患者の尻部及び局部と一体化して汚物の漏洩を防止し、各種センサーの正確な検知機能に支障を生起しない効果がある。
【００１５】
請求項２に記載の発明によれば、排尿便の処理中或は局部洗浄中の際に、支持枠体が大きく揺動してしまうと、排尿便或は処理水が排尿便処理体内から漏洩してしまうが、支持枠体の揺動範囲を凹状半円弧とした台座上面の先端縁部に設けた調整ストッパー手段で揺動範囲を規制するため、正常に排尿便或は処理水を排尿便処理体外に排出処理することが可能となる効果がある。
【００１６】
請求項３に記載の発明によれば、排尿便の処理中、局部洗浄中或は就寝中の際に、患者が不用意に動いても排尿便処理本体の揺動動作を規制し、排尿便処理本体が台座から離脱することを防止しうる効果がある。
【００１７】
請求項４に記載の発明によれば、指示枠体の内底面は凹状半円弧に、尻載せパッドの外底面は凸状半円弧にそれぞれ形成しているので、尻載せパッドを安定して支持枠体上に載置することができ、尻載せパッド上で尻部等のずれが生起しても支持枠体が台座上でそのずれを吸収することができ、尻載せパッドが独自にずれることを防止できる効果を有する。
【００１８】
請求項５に記載の発明によれば、排尿便処理体は、内部を舟型とし、底部に設けたノズルからの排水により排尿便を外部へ排出するように構成した横部材と、尻部や局部を洗浄した後に送風により乾燥を行うノズルを前面に設けた縦部材とより構成するので、各ノズルが横部材及び縦部材に予め直接取付けられた単純な構造とすることができ、従って、排尿便処理体を短時間で組立て分解作業を行うことができる。しかも、排尿便処理体の横部材の終端は、排出パイプを介して貯留タンクと連通連結し、更には、横部材及び縦部材に設けた各種ノズルは、送水や送風の制御を行うべく構成したノズル操作部を介して洗浄水供給部と連通連結したので、仰臥状態の患者の排尿便の処理及び患者の局部や尻部の洗浄乾燥処理をノズル操作部で制御しながら自動制御の排尿便処理を行うことができる効果がある。
【発明を実施するための最良の形態】
【００１９】
この発明の実施例を図面に基づき説明する。
【００２０】
図１に示すように、Ｋは、本発明の実施例である自動排尿便処理装置を示すものであり、この自動排尿便処理装置Ｋの概要は次のように構成されている。
【００２１】
すなわち、先ず患者が仰臥できるだけの面積を有したウレタン製の寝具ベッド１１を用い中央に装着孔１２を形成し、装着孔１２の一側は、寝具ベッド１１に形成したパイプ通路１３と連通させている。
【００２２】
装着孔１２は、略矩形状に形成し、この装着孔１２の周辺には、中央に装着孔１２に対応した孔２２を有したおしめ２１を敷く。その際に、その孔２２と装着孔１２とを対応させて、おしめ２１の下手側に延設した折返し被覆部２３と上手側に延設した腰周り部２４とが装着孔１２の外周からはみ出した状態とする。
【００２３】
装着孔１２（図１参照）には、図２に示すように、矩形状の台座３１０を嵌着しており、台座３１０の上表面は凹状半円弧とした揺動受面３１１を形成しており、揺動受面３１１の先端縁部には後述する支持枠体３１の揺動範囲を規制するための調整ストッパー手段３１２が設けられている。
【００２４】
また、図２及び図３に示すように、台座３１０上には、以下に述べる略矩形状の支持枠体３１を揺動自在に載置している。すなわち、支持枠体３１の外底面３８ａは、凸状半円弧とした揺動底部３８（図３参照）を形成し、支持枠体３１には、ウレタン製の略Ｕ字型の尻載せパッド４１（図１参照）を載置し、尻載せパッド４１の中央のＵ字状切欠空間４２には、略Ｌ字形状の排尿便処理体５１の横部材５２（図１５参照）を遊嵌する。従って、支持枠体３１上に尻載せパッド４１及び略Ｌ字形状の排尿便処理体５１を装着した状態では略Ｌ字形状の排尿便処理体５１の縦部材５３（図１５参照）は尻載せパッド４１上面より上方に突出した状態となる。
【００２５】
患者が本発明の自動排尿便処理装置Ｋを使用する際には、寝具ベッド１１に仰臥し尻部を尻載せパッド４１上に載置し、図１７に示すように、排尿便処理体５１の略Ｌ字状の縦部材５３を股間に挟んで略Ｌ字状の横部材５２の舟型内部に排尿、排便を行い、横部材５２の頭部に設けた射水ノズル１０５からの排水により、尿便を排尿便処理体５１外に排出し、排尿便処理体５１の縦部材５３に設けた洗浄ノズル２０３、ビデノズル２０２から洗浄水により尻部や局部を洗浄し、また、排尿便処理体５１の横部材５２に設けた尻ノズル１０４から洗浄水により尻部を洗浄し、その後、乾燥ノズル２０４、送気ノズル２０５からの送風により尻部や局部を乾燥するものである。
【００２６】
次に、自動排尿便処理装置Ｋを構成する各構成部材について説明する。
【００２７】
（i）装着孔１２の周辺に敷設するおしめ２１について説明する。
【００２８】
図１に示すように、おしめ２１は、中央部分に寝具ベッド１１の装着孔１２に対応した孔２２を形成する。孔２２の裏側には、方形状の箱型袋２６が垂設されており、この箱型袋２６は、寝具ベッド１１周辺におしめ２１を敷くときに中央の装着孔１２中に嵌入されて、その中には、後述する台座３１０が嵌入される。その孔２２の下手側には、左右に露出した股間を覆うための折返し被覆部２３を延設し、同孔２２の上手側には、左右に張出した腰周り部２４を延設した形状としている。
【００２９】
かかるおしめ２１は、寝具ベッド１１の装着孔１２の周辺を囲む状態で拡げて載置される。なお、おしめ２１の折返し被覆部２３中央には、切断線２５が形成され切断線２５の左右両部分がジッパーにより合体離反自在に構成されており、同ジッパーの他端は、折返し被覆部２３の中途で終止している。従って、股間覆い部２３が切断線２５を中心に左右に拡開されるため、後述する排尿便処理体５１を略Ｕ字状の尻載せパッド４１のＵ字状切欠空間４２中に嵌入する場合に、おしめ２１が邪魔にならずに排尿便処理体５１を容易におしめ２１の切断線２５の間からＵ字状切欠空間４２中に嵌入させることができる。
【００３０】
ここで、おしめ２１の患者への装着手順について説明する。
【００３１】
図１に示すように、中央に装着孔１２に対応した孔２２を有したおしめ２１を寝具ベッド１１の装着孔１２の周辺に敷く。その際に、その孔２２と装着孔１２とを対応させ装着孔１２中に箱型袋２６を嵌入しておき、おしめ２１の下手側に延設した折返し被覆部２３と上手側に延設した腰周り部２４とが装着孔１２を中心にして外周にはみ出した状態とする。
【００３２】
次に、おしめ２１の孔２２に連設した箱型袋２６に後述する台座３１０を嵌着し、台座３１０上に支持枠体３１を載置し、更に支持枠体３１に尻載せパッド４１を載置し、その後、介助者が患者の尻部を尻載せパッド４１上に載せて、寝具ベッド１１に患者を仰臥させた状態とする。
【００３３】
次に、おしめ２１を切断線２５を中心に左右に拡開し、この左右に拡開した開口部より略Ｌ字形状の排尿便処理体５１を挿通して、尻載せパッド４１のＵ字状切欠空間４２中に装着すると共に、患者の股間部で排尿便処理体５１を挟持し、さらに、患者の局部を排尿便処理体５１に設けた覆体５９により上方から隠した状態とする。
【００３４】
次に、おしめ２１の左右の腰周り部２４を患者の腹部に折り畳むように巻きつけ、両腰周り部２４のテープ同士を固着する。次いで覆体５９をおしめ２１の折返し被覆部２３で覆ったのち、折返し被覆部２３の終端部のテープを腹部の腰周り部２４に固着する。
【００３５】
（ii）台座３１０について説明する。
【００３６】
図２及び図３に示すように、台座３１０は、寝具ベッド１１（図１参照）の装着孔１２に嵌着しうる一定厚みの矩形状に形成されており、その上表面は凹状半円弧の揺動受面３１１を形成している。しかも、揺動受面３１１の先端縁部には揺動受面３１１上に揺動自在に載置する支持枠体３１の揺動範囲を規制するための調整ストッパー手段３１２を設けている。
【００３７】
すなわち、調整ストッパー手段３１２は、揺動受面３１１の先端縁部の半円弧面の左右に突起３１３，３１３を突設して、該突起３１３，３１３に後述する支持枠体３１の構成部材が当接することにより、それ以上の左右揺動が行えないようにしている。
【００３８】
また、他の実施例としての調整ストッパー手段３１２は、図４に示すように、台座３１０の前壁３１５を揺動受面３１１と同じ形状の半円弧状に切欠し、前壁３１５の左右部分には出没自在に係合片３２０，３２０を枢支する。図中３１７は枢支部、３２８はガイド溝を示す。
【００３９】
従って、一方の係合片３２０の突出作動により、この一方の係合片３２０と後述する支持枠体３１の構成部材とが当接係合して、揺動範囲が規制されるものであり、この際に他方の係合片３２０の埋没作動により、他方の係合片３２０と支持枠体３１の構成部材とが干渉することなく、支持枠体３１は、揺動を行うことができる。
【００４０】
このように作用する係合片３２０，３２０は次のように構成されている。
【００４１】
すなわち、台座３１０の前壁３１５の内側には、図５及び図６に示すように、一定間隔を保持して補助壁３１６を立設しており、前壁３１５と補助壁３１６との間には板状の係合片３２０，３２０を出没自在に配設している。
【００４２】
係合片３２０，３２０を出没作動させるための構造は次の通りである。
【００４３】
すなわち、前壁３１５と補助壁３１６との間に架設したピン３２２，３２２（図６参照）に係合片３２０，３２０を枢支しており、係合片３２０，３２０を枢支部３１７，３１７を中心に回動させることにより、前壁３１５と補助壁３１６との間の開口部３４３，３４３から係合片３２０，３２０を出没作動させる。
【００４４】
また、前壁３１５の裏面と係合片３２０との間には、スプリング３２６を介設し、このスプリング３２６の付勢により、係合片３２０を突出状態に付勢していると共に、係合片３２０を前壁３１５の裏側に圧接付勢している。
【００４５】
すなわち、スプリング３２６は、枢支部３１７より基端側に位置する係合片３２０端部に突設した支持ピン３２５と前壁３１５の裏面に設けた係合部３１９との間に架設されており、このスプリング３２６の付勢により係合片３２０の前側面を前壁３１５の裏側に圧接付勢している。かかる圧接作動により係合片３２０が埋没した際に、係合片３２０に形成した凹部３２７が前壁３１５の裏面に形成した三角形状の突起３４０と係合して係合片３２０を埋没状態に保持する。
【００４６】
すなわち、図５及び図１０に示すように、突起３４０と凹部３２７は、係合片３２０の埋没状態を保持するストッパー機能を果たす。また、前壁３１５には、切欠き舌片３４１を形成しておき、切欠き舌片３４１には、係合解除用突部３４２（図５及び図１１参照）を形成して、切欠き舌片３４１を前壁３１５の表側から指で押すと係合解除用突部３４２が係合片３２０を裏側に押圧し、係合片３２０の凹部３２７と突起３４０との係合（図１０参照）が解除し、係合片３２０を埋没した状態から突出した状態に復帰させることができる。
【００４７】
また、係合片３２０の上端縁は、後述する支持枠体３１の外底面３８ａとなじむように凹状半円弧と同じ曲面としている。
【００４８】
すなわち、支持枠体３１が台座３１０上で揺動する際には、図８に示すように、支持枠体３１の外底面３８ａの左右の一方部分が係合片３２０の先端上端面と当接し、支持枠体３１の更なる揺動に伴い係合片３２０を押下げて、係合片３２０を前壁３１５の内側に埋没させる。
【００４９】
なお、係合片３２０の埋没作動は、枢支部３１７を中心に回動することにより行われる。
【００５０】
支持枠体３１が元の位置に揺動して、外底面３８ａと係合片３２０との当接が解消すれば、図７に示すように、係合片３２０はスプリング３２６（図６参照）の付勢力により突出作動して前壁３１５の上端縁より突出状態となる。
【００５１】
また、台座３１０の前壁３１５には、図１２に示すように、左右に挿通孔３１８，３１８を穿設しており、挿通孔３１８，３１８にはワイヤ、または、チューブで被覆した硬線等で形成した略山型の固定具３３０の左右自由端３３１，３３１を挿入可能としている。
【００５２】
すなわち、図１３に示すように、固定具３３０は、排尿便処理体５１を固定するために使用されるものであり、略山型に形成した本体部３３２によってガイド通路３４の内底面に処理部本体５６の横部材５２に連設したカップリング５８を圧着固定する。
【００５３】
その際に、前方に突出形成した自由端３３１，３３１を台座３１０の前壁３１５の挿通孔３１８，３１８に挿通している。
【００５４】
なお、固定具３３０の自由端３３１，３３１は、挿通孔３１８，３１８から挿入して台座３１０の前壁３１５の裏側に突出するようにする。この突出自由端３３１，３３１は、係合片３２０，３２０の下端面に当接するように構成しており、係合片３２０，３２０が台座３１０の内側へ没入する範囲を規制している。
【００５５】
（iii）支持枠体３１について説明する。
【００５６】
図２から図４に示すように、台座３１０上に載置される支持枠体３１は、外底面３８ａ（図２参照）を凸状半円弧に形成した底板３２を有する矩形ケース３９よりなり、上方開口の箱型としている。
【００５７】
すなわち、底板３２の外周縁には外周壁３３が少なくとも後述する尻載せパッド４１（図１参照）の厚みより低い状態で立設されている。更に底板３２の中央には、長手方向に沿って帯状のガイド通路３４が設けられており、両側にはガイド壁３５が設けられている。
【００５８】
ガイド通路３４は、下手側の枠体前壁３３ａを突き抜けて底板３２の下手終端より突出し、突出部３６の終端は開放状としており、従って、支持枠体３１を寝具ベッド１１（図１参照）の装着孔１２に装着した台座３１０上に載置する場合は、ガイド通路３４の突出部３６を装着孔１２と連通したパイプ通路１３内に嵌め込んでおく。
【００５９】
以上のように構成された支持枠体３１は、外周壁３３と帯状のガイド通路３４との間に略Ｕ字状のＵ字空間３７を形成しており、Ｕ字空間３７の内底面は、凹状半円弧に形成している。このＵ字空間３７に後述する略Ｕ字状の尻載せパッド４１（図１参照）が嵌着される。
【００６０】
このように外底面３８ａ（図２参照）を凸状半円弧とした支持枠体３１は、内底面が凹状半円弧の台座３１０上に左右揺動自在に載置されて、後述するように患者の尻部や腰部の動きに応じて左右に揺動して尻部のずれを吸収する。
【００６１】
しかも、図４に示すように、支持枠体３１は、台座３１０上で患者の尻部のずれや動きに応じて揺動するものの、その揺動範囲と一定の角度に規制するために台座３１０の調整ストッパー手段３１２と協働するための構造を設けている。
【００６２】
すなわち、支持枠体３１の中央には、帯状のガイド通路３４が設けられ、このガイド通路３４は前述の如く枠体前壁３３ａを突き抜けて支持枠体３１の枠外に突出しており、当然にその両側のガイド壁３５も枠体前壁３３ａより突出している。
【００６３】
かかる構造の支持枠体３１を台座３１０上に載置した場合、台座３１０の前壁３１５の左右に配設した突起３１３，３１３がガイド壁３５の外側面と対向する状態となる。
【００６４】
従って、支持枠体３１を一方向に揺動させると台座３１０の突起３１３，３１３先端が当接して、それ以上は揺動できない。
【００６５】
なお、かかる一定範囲内の揺動ができるためには、凸状半円弧に形成した底板３２の前端部の一部のみ、すなわち、底板３２より前方に突出したガイド壁３５の横側方において凸状半円弧の底板３２の前端部のみを切欠して平坦面３２ａを形成しておく必要がある。
【００６６】
すなわち、図７に示すように、支持枠体３１が揺動していない中立位置にある場合には、この平坦面３２ａにより形成された空間３２ｂは、台座３１０の係合片３２０が位置して支持枠体３１の底板３２と干渉せずに支持枠体３１の揺動を可能とする。
【００６７】
このように揺動範囲は、突出状の突起３１３，３１３がガイド壁３５に当接する範囲に限定される。
【００６８】
しかし、図９及び図１０に示すように、更にこれ以上の揺動を求める場合には係合片３２０，３２０を人手によりスプリング付勢に抗して押下げて固定する。かかる状態ではガイド通路３４の外底面３４ａは係合片３２０の上端縁部上を滑動する。
【００６９】
すなわち、ガイド壁３５に当接した係合片３２０を人手により、スプリング付勢に抗して押下げ埋没させるとガイド壁３５との当接が解消され、図９に示すように、ガイド通路３４の外底面３４ａが係合片３２０，３２０の上端面３２０ａを乗り越えて、支持枠体３１は更なる揺動を行い傾斜角度が大となる。かかる係合片３２０の人手による埋没状態は、前述した突起３４０と凹部３２７との係合により固定される。これを解除するためには前述した切欠き舌片３４１の係合解除用突部３４２を指で押すことにより行われる。
【００７０】
（iv）尻載せパッド４１について説明する。
【００７１】
尻載せパッド４１（図１参照）は、支持枠体３１に形成された略Ｕ字状のＵ字空間３７に嵌着できるように同じく略Ｕ字状に形成しており、中央のＵ字状切欠空間４２に支持枠体３１のガイド通路３４のガイド壁３５が嵌着できる構成としている。
【００７２】
尻載せパッド４１の素材は、ウレタン等の柔軟な材料を封入したものを使用し患者の尻部の載置安定が良好で尻部の皮膚面に優しい感触のものとする。特に、防水性、撥水性、吸水性に優れていると共に湿気を保持しない通気性のよいことが必要であり、患者の床ずれを防止できる材料と感触を有していることが必要である。
【００７３】
また、尻載せパッド４１の厚みは、少なくとも寝具ベッド１１の装着孔１２と同等で、支持枠体３１の外周壁３３（図２参照）より高くしている。
【００７４】
かかる尻載せパッド４１を支持枠体３１のＵ字空間３７に嵌着した装着孔１２に嵌入装着した場合に、尻載せパッド４１の略Ｕ字状中央のＵ字状切欠空間４２には、支持枠体３１のガイド通路３４のガイド壁３５が嵌着されるため略Ｕ字状の尻載せパッド４１はガイド通路３４を囲繞する状態となる。
【００７５】
従って、尻載せパッド４１を支持枠体３１のＵ字空間３７に嵌着した状態では、尻載せパッド４１のＵ字状切欠空間４２がガイド通路３４と一体となる。
【００７６】
また、尻載せパッド４１の底面は、凸状半円弧の形状としており、従って、支持枠体３１内のＵ字空間３７中に尻載せパッド４１を装着する場合に支持枠体３１の凹状半円弧の内底面と一致して密着した装着が可能となる。
【００７７】
また、支持枠体３１のＵ字空間３７は、排尿便処理体５１内より漏洩した洗浄水が尻載せパッド４１の周面より浸透しても漏水を貯留させ、寝具ベッド１１裏面を濡らすことを防止する効果がある。
【００７８】
（v）排尿便処理体５１について説明する。
【００７９】
図１５に示すように、排尿便処理体５１は、外底面を凸状半円弧に形成した支持枠体３１（図２参照）のガイド通路３４に嵌着する略長手楕円形状とした支持ケース５５と、同支持ケース５５中に嵌入して内蔵される略Ｌ字形状の処理部本体５６とより構成される。
【００８０】
図１６及び図１７に示すように、支持ケース５５は、周辺に周壁を形成し、その内部に後述する処理部本体５６の横部材５２が収納されるように長方形に形成している。同支持ケース５５の左右両側壁は、中央部分を山型に隆起させ、この隆起部５５ａ及び支持ケース５５の後半部開口縁には、更に縦ケース５７を嵌着連設可能に構成しており、縦ケース５７は、後述する略Ｌ字状の処理部本体５６の縦部材後方と処理部本体５６の上面の一部をケーシングすることができるように横断面半円弧状で側面視略L字状に形成している。
【００８１】
更には、支持ケース５５と縦ケース５７との組付けで形成される下手側端部開口には、筒状のカップリング５８が連結されており、該カップリング５８内には、後述する処理部本体５６の下手端部に設けられた尿便の排出通路８１（図１７参照）及びそれに連通した排出パイプ１０３（図１参照）が挿入される。
【００８２】
なお、排尿便処理体５１の支持ケース５５は支持枠体３１と共に台座３１０上で左右に揺動するため、排尿便処理体５１の排出通路８１と排出パイプ１０３の連結部分とは、カップリング５８内で回転自在となるように構成されており、従って、台座３１０上で揺動する排尿便処理体５１の回動中心線は、排出通路８１と排出パイプ１０３との回転連結部分の回転中心線と一致させておく必要がある。
【００８３】
また、図１７に示すように、処理部本体５６の縦部材８０後方をケーシングする縦ケース５７の上端縁には、患者の局部を上方から覆うための覆体５９が開閉自在に枢着されている。
【００８４】
覆体５９は、ドーム形状とし、基端を断面半円弧状の縦ケース５７上端にピン５９ａを介して枢着されており、患者が処理部本体５６を股間に挟んだ状態で局部上方を開閉自在に覆うことができるように構成している。
【００８５】
従って、処理部本体５６は、上記した支持ケース５５と、縦ケース５７と、カップリング５８と、覆体５９によって、必要な排尿便処理機能を果たすノズル突設部分を除いて、すべてケーシングされることになる。
【００８６】
かかる処理部本体５６は、図１６及び図１７に示すように、内部を舟型に形成した横部材としての排尿便受け部８２と、その下手端部に立設した縦部材としての洗浄ノズル保持体６１とにより略Ｌ字状に形成されている。
【００８７】
図１６及び図２１に示すように、排尿便受け部８２の前端には、前端ノズルブラケット６０が設けられており、該前端ノズルブラケット６０には、排尿便受け部８２に貯留された尿便を下手側方向に押しやるべく射水するための射水ノズル１０５が設けられており、該射水ノズル１０５の近傍には隣接して患者尻部下面及び腰部を乾燥するための送気ノズル２０５が配設されている。
【００８８】
図１７に示すように、排尿便受け部８２の下手側終端には、排出口１０２ａが設けられており、同排尿便受け部８２に貯留された尿便を外部の貯留タンク３００に排出パイプ１０３を介して排出する。
【００８９】
また、図１７及び図２０に示すように、洗浄ノズル保持体６１には、洗浄ノズル２０３、ビデノズル２０２、乾燥ノズル２０４が設けられており、何れも患者の局部あるいは肛門に向って、水や空気を送ることができるように構成されている。
【００９０】
これらの各ノズルに通じるパイプ基端は、図１６から図１８に示すように、洗浄ノズル保持体６１の裏面に突出し、洗浄ノズル保持体６１の裏面に装着した分配器６２の所要の分岐パイプ６２ａに連通されている。更に、分配器６２の裏側においては、処理部本体５６の縦部材としての洗浄ノズル保持体６１上面にヒーター部６３を装着しており、分配器６２に通じるエアパイプをヒーター部６３を介して加熱するように構成している。
【００９１】
ヒーター部６３は、吸入口６３ａと噴射口６３ｂ（図１６参照）とを備え、吸入口６３ａより送気した空気をエアパイプで温め噴射口６３ｂより温風の空気として送気するように構成している。
【００９２】
図１６から図１８に示すように、舟型に形成した排尿便受け部８２と、その下手側に立設した洗浄ノズル保持体６１により全体略Ｌ字状に形成した処理部本体５６は、処理部本体５６の開口部８３が洗浄ノズル保持体６１のノズル突出側とは互いに相対して各縁部が略Ｌ字状に連続する。すなわち、処理部本体５６の開口縁８４と洗浄ノズル保持体６１の側縁とは、連続した側面視略Ｌ字状の側縁部８５を構成していることになる。
【００９３】
そして、かかる左右の側縁部８５，８５は、縁部をカバーするためにＬ字状とＵ字状を組合せた縁部カバー体６４によって被覆されている。
【００９４】
２１０は、縁部カバー体６４の前端に延設した舌片である。
【００９５】
図１６及び図１７に示すように、上記した排尿便受け部８２の排出口１０２ａと排出パイプ１０３（図１４参照）基端側との間には、排泄物や臭気の逆流を防止する断面八角形の中空状の逆止弁ケース６６が介設されており、逆止弁ケース６６（図１９参照）には、ケース天井面に上端を枢支した逆流防止弁６６ａを開閉自在に垂設しており、逆流防止弁６６ａは、自重で常に閉弁方向に付勢されている。尿便の排泄物は自重付勢に抗して流通力とより円滑に流通し、貯留タンク３００及び排出パイプ１０３からの臭気は閉弁により流入が防止される。
【００９６】
また、図１７に示すように、支持ケース５５底面略中央部には、断面山型の係合爪６７を突設すると共に、支持ケース５５を嵌着する支持枠体３１のガイド通路３４内底面下手部には多段の断面山型の係合溝６８（図２参照）を形成している。
【００９７】
そして、患者から排尿便処理体５１を取外す場合には、上方に排尿便処理体５１を持ち上げることにより、排尿便処理体５１の係合爪６７が係合溝６８から離脱状態となり、患者から排尿便処理体５１を簡単に取外すことができるようにしている。
【００９８】
支持枠体３１のガイド通路３４内の上手側と支持ケース５５の上手側外底面との間には、排尿便処理体５１の上手側底面を押上げる略Ｚ形状の板ばね７１（図１６参照）とその上面に載置した略半円状の押上受板７２とが介設されている。
【００９９】
（vi）排尿便処理体５１の各種ノズル及び各種センサーについて説明する。
【０１００】
図１４及び図１７に示すように、排尿便処理体５１には、人体の各部位を洗浄するため洗浄水を噴射する尻ノズル１０４，射水ノズル１０５，ビデノズル２０２，洗浄ノズル２０３と、洗浄後に人体の局部及び外部尻部を乾燥するため空気を噴射する乾燥ノズル２０４、送気ノズル２０５、着用センサーＩ、大便センサーＧ、小便センサーＨ、水位センサーＪが各所に配置されている。
【０１０１】
（vi−１）各種ノズルについて詳細に説明する。
【０１０２】
図１７及び図２０に示すように、排尿便処理体５１は、前面凹部１１３の底面の下端部に配設された洗浄ノズル２０３と、前面凹部１１３の底面の、洗浄ノズル２０３より上方の位置に配設されたビデノズル２０２を有している。また、排尿便処理体５１は、排出通路８１の、排出部１０２と反対側の端部に配設された射水ノズル１０５と、排出通路８１の、排出部１０２と反対側の端部における、射水ノズル１０５より上方の位置に配設された尻ノズル１０４を有している。
【０１０３】
図１に示すように、各種ノズル１０４、１０５、２０２、２０３は、それぞれ尻ノズルパイプ６０２ｃ、射水ノズルパイプ６０４、ビデノズルパイプ６０２ｂ、洗浄ノズルパイプ６０３が接続されており、各種ノズル１０４，１０５，２０２，２０３には、それぞれ各ノズルパイプ６０２ｃ，６０４，６０２ｂ，６０３を介して、処理操作部Ｃから洗浄水が供給される構成となっている。
【０１０４】
また、これら各種パイプは、束ねて外観ホース７３内に挿入される。
【０１０５】
図１７及び図２１に示すように、尻ノズル１０４は、尻用噴射孔１０４ａを、その噴射方向が患者の尻部を向くように複数有しており、より広範囲の洗浄を可能とするために尻部の曲面に対応して所定の曲率を持つ態様で配設されている。
【０１０６】
また、尻ノズル１０４は、ビデノズル２０２と三方弁７４を介して連通連結しており、両ノズル１０４，２０２は、三方弁７４からの洗浄水を同時に噴射可能とする構成としている。
【０１０７】
射水ノズル１０５は、洗浄水の噴射水圧により大便を細かく粉砕しつつ、大便を排出通路８１から排出口１０２ａへ向けて押し流す処理（以下、大便粉砕処理という。）を行うためのノズルである。射水ノズル１０５は、凸部６０ａに配設されている。射水ノズル１０５は、大便粉砕用噴射孔１０５ａを、その噴射方向が排出通路８１の底面で、かつ、大便が最も溜まり易い人体の肛門直下へ向くように複数有している。また、射水ノズル１０５は、後述する加圧ポンプ６００に連通し、温水タンク５０１からの温水を射水ノズル１０５から高水圧の洗浄水として噴射できるように構成している。
【０１０８】
図１７及び図２０に示すように、ビデノズル２０２は、主な噴射範囲として、人体の局部に付着する排泄物を洗浄すると共に処理部本体の縦部材の内周面に付着した小便を洗浄するためのノズルである。ビデノズル２０２は、ビデ用噴射孔２０２ａを、その噴射方向が患者の局部を向くように列状に等間隔に穿設し複数有し、小便用噴射孔２００ｂを、その噴射方向が処理部本体の縦部材の内周面に向くように凸形状の周面に等間隔に穿設し複数有している。
【０１０９】
図１７及び図２０に示すように、洗浄ノズル２０３は、男女の体型の差に関わらず肛門及び肛門周辺を洗浄することができるように、細幅かつ縦長の形状となっている。洗浄ノズル２０３は、ビデノズル２０２より下方位置に設けており、同洗浄ノズル２０３の肛門用噴射孔２０３ａを、その噴射方向が患者の肛門及び肛門周辺を向くように等間隔に穿設し複数有している。
【０１１０】
図１７及び図２０に示すように、乾燥ノズル２０４は、噴射範囲として、患者の局部、肛門及び肛門周辺を乾燥するためのノズルである。乾燥ノズル２０４は、ビデノズル２０２より外側に位置し同ビデノズル２０２と一体的に配設されており、乾燥用噴射孔２０４ａはその噴射方向が患者の局部、肛門及び肛門周辺を向くように等間隔に４箇所穿設される。乾燥ノズル２０４には、温風の空気を噴出可能とするように吸入ポンプより供給され、ソレノイドバルブ９７（図１４参照）を介し乾燥ノズルパイプ６０８より供給される空気をヒーター部６３のヒーターにより暖めて温風の空気として乾燥用噴射孔２０４ａから噴出するようにしている。
【０１１１】
図１７及び図２１（ｃ）に示すように、送気ノズル２０５は、噴射範囲として、患者の尻部周辺を乾燥するためのノズルである。送気用噴射孔２０５ａはその噴射方向が患者の尻部周辺に向くように上向きとなるようしている。送気ノズル２０５には、空気を噴出可能とするように吸入ポンプより供給され、ソレノイドバルブ９８（図１参照）を介し送気ノズルパイプ６０９より供給される空気を送気用噴射孔２０５ａから噴出するようにしている。
【０１１２】
（vi−２）各種センサーの構成について詳述する。
【０１１３】
着用センサーＩは、一対の導電性ゴムで形成した電極端子１２０を有しており、両電極端子１２０，１２０を患者の大腿部に一定圧で密着して、人体特有の静電容量の変化により患者の大腿部に排尿便処理体が密着状態で装着されたことを検知するようにしている。
【０１１４】
図１７に示すように、大便センサーＧは、発光部１０６より発信された赤外線が対向する受光部１０７で受信されたか否かに基づき、発光部１０６と受光部１０７の間、すなわち排出通路８１に大便が存在するか否かを検知する。
【０１１５】
また、図１６及び図１７に示すように、小便センサーＨは、前後に隣り合うように配設された一対の電極ピン１０９，１０９を備えている。
【０１１６】
このような構成により、患者が排便、排尿すると、排尿便処理体５１は、大便センサーＧ、小便センサーＨにより大便、小便を検知し、その検出信号を処理操作部Ｃ（図１４参照）へと送信する。かかる検出信号を受信した処理操作部Ｃは、ビデノズルパイプ６０２ｂ、洗浄ノズルパイプ６０３、射水ノズルパイプ６０５、尻ノズルパイプ６０２ｃに洗浄水を供給し、ビデノズル２０２、洗浄ノズル２０３、射水ノズル１０５、尻ノズル１０４の各々から洗浄水が排尿便処理体５１内へ噴射される。
【０１１７】
水位センサーＪは、図１６及び図１７に示すように、排尿便受け部８２内の水位を検知するため、排尿便受け部８２上手側の側縁部８５，８５に電極ピン１３０，１３０を備えている。
【０１１８】
(vii)外部処理構成としての処理操作部Ｃについて説明する。
【０１１９】
図１４に示すように、処理操作部Ｃは、排尿便処理体５１の汚物を収容する排泄物収容部Ｄと、排尿便処理体５１から股間部と同排尿便処理体５１との一定圧の密着状態を示す着用信号や排便及び／又は排尿の検出信号や排尿便受け部の水位上昇を示す水位信号を受信し、その後の送水や送風などの各種動作を遂行するノズル操作部Ｆと、排尿便処理体５１に洗浄水を供給する洗浄水供給部Ｅとよりなる。
【０１２０】
(vii−１)
排泄物収容部Ｄは、貯留タンク３００を有しており、貯留タンク３００は、排出パイプ１０３を介して、排尿便処理体５１の排出口１０２ａと接続されている。
【０１２１】
また、図１４に示すように、ホース連結部３０３には、排出パイプ１０３と隣り合うように吸気パイプ４０１ａが接続されている。
【０１２２】
(vii−２)
洗浄水供給部Ｅは、図１４に示すように、洗浄水としての原水を供給する原水タンク５００と、排尿便処理体５１内に供給する洗浄水を所定温度に加熱するための温水タンク５０１と、原水タンク５００から温水タンク５０１への給水を制御するソレノイドバルブ５０３を備えている。温水タンク５０１は、原水タンク５００からソレノイドバルブ５０３を介して供給された原水を加熱する管ヒーター５０２と、水位を感知する水位センサー５０５と、水温を感知する温度センサー５０６とを備えている。
【０１２３】
洗浄水供給部Ｅは、温水タンク５０１内の原水の温度を温度センサー５０６で検知して、原水を管ヒーター５０２で加熱して温水とする。
【０１２４】
(vii−３)
ノズル操作部Ｆは、上述のように、排泄物収容部Ｄに吸気パイプ４０１ａを介して連通連結されており、また、洗浄水供給部Ｅに送水パイプ５０４ａを介して連通連結されている。図中の４０１ａは吸気パイプ、４０９は弁としての吸気バルブ、４０８は減圧部としての真空タンク、４０１ｂは吸気パイプ、４０７ａは悪臭除去フィルタ、４１３は圧力スイッチ、４０１ｃは吸気パイプ、４０１ｄは吸気パイプ、４００は吸入ポンプ、４０２は吸気口、４０５は排気口、４１４はエア排出パイプ、４０７ｂは消音器である。
【０１２５】
一方、送水パイプ５０４ａは、フィルタ５０７、送水パイプ５０４ｂ、加圧ポンプ６００、ノズルパイプ６０１ａ、各種ソレノイドバルブ９１，９２，９３、三方弁７４、各種ノズルパイプ６０２ａ，６０２ｂ，６０２ｃ，６０３，６０５を経て、排尿便処理体５１内の尻ノズル１０４，射水ノズル１０５，ビデノズル２０２，洗浄ノズル２０３に接続されている。
【０１２６】
真空タンク４０８内に真空状態を形成することにより、より強い負圧を発生させて排尿便処理体５１内の汚物を効率良く吸引することができる構成となっている。
【０１２７】
また、ソレノイドバルブ９５，９６、消音器４０４、２基の悪臭除去フィルタ４０７ａ，４０７ａ、消音器４０７ｂは１ユニット化されてフィルタアセンブリ６０７を構成している。
【０１２８】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【図面の簡単な説明】
【０１２９】
【図１】本実施形態の自動排尿便処理装置を示す分解斜視図である。
【図２】支持枠体及び台座を示す分解斜視図である。
【図３】支持枠体を台座に載置した状態を示す斜視図である。
【図４】他の形態の台座に支持枠体を載置した状態を示す斜視図である。
【図５】他の形態の台座の裏面に係合片を装着する前の状態を示す分解斜視図である。
【図６】他の形態の台座の裏面に係合片を装着した状態を示す斜視図である。
【図７】他の形態の台座に支持枠体を載置した状態を示す正面図である。
【図８】他の形態の台座に支持枠体を載置した状態を示す正面図である。
【図９】他の形態の台座に支持枠体を載置した状態を示す正面図である。
【図１０】図９におけるＡ−Ａ線の断面図である。
【図１１】図９におけるＢ−Ｂ線の断面図である。
【図１２】排尿便処理体を台座に固定具で固定する前の状態を示す斜視図である。
【図１３】排尿便処理体を台座に固定具で固定した状態を示す斜視図である。
【図１４】本実施形態の自動排尿便処理装置を示す構成図である。
【図１５】排尿便処理体を支持枠体に装着した状態を示す構成図である。
【図１６】排尿便処理体の分解斜視図である。
【図１７】排尿便処理体の断面図である。
【図１８】処理部本体の斜視図である。
【図１９】逆止弁ケースの断面図である。
【図２０】各種ノズルの正面図である。
【図２１】（ａ）前端ノズルブラケットの斜視図である。（ｂ）前端ノズルブラケットの正面図である。（ｃ）前端ノズルブラケットの背面図である。
【図２２】従来の自動排尿便処理装置を示す分解斜視図である。
【符号の説明】
【０１３０】
Ｃ  処理操作部
Ｄ  排泄物収容部
Ｅ  洗浄水供給部
Ｆ  ノズル操作部
Ｇ  大便センサー
Ｈ  小便センサー
Ｉ  着用センサー
Ｊ  水位センサー
Ｋ  自動排尿便処理装置
１１  寝具ベッド
１２  装着孔
２１  おしめ
２２  孔
３１  支持枠体
３２  底板
３３  外周壁
３４  ガイド通路
３５  ガイド壁
４１  尻載せパッド
４２  Ｕ字状切欠空間
５１  排尿便処理体
５２  横部材
５３  縦部材
５５  支持ケース
５７  縦ケース
５８  カップリング
５９  覆体
６０  前端ノズルブラケット
６４  縁部モール体
６６  逆止弁ケース
７４  三方弁
【図１】
2010148721.tif 000003
【図２】
2010148721.tif 000004
【図３】
2010148721.tif 000005
【図４】
2010148721.tif 000006
【図５】
2010148721.tif 000007
【図６】
2010148721.tif 000008
【図７】
2010148721.tif 000009
【図８】
2010148721.tif 000010
【図９】
2010148721.tif 000011
【図１０】
2010148721.tif 000012
【図１１】
2010148721.tif 000013
【図１２】
2010148721.tif 000014
【図１３】
2010148721.tif 000015
【図１４】
2010148721.tif 000016
【図１５】
2010148721.tif 000017
【図１６】
2010148721.tif 000018
【図１７】
2010148721.tif 000019
【図１８】
2010148721.tif 000020
【図１９】
2010148721.tif 000021
【図２０】
2010148721.tif 000022
【図２１】
2010148721.tif 000023
【図２２】
2010148721.tif 000024